(57)【特許請求の範囲】
【請求項１】
基地局（３）から移動局に対して送信されるＷ−ＣＤＭＡ信号（５）を受信してその受信信号レベルに基づいて前記基地局の電波サービスエリアを評価する電波サービスエリア評価装置において、
前記受信したＷ−ＣＤＭＡ信号とタップ長分設定された逆拡散符号で順次逆拡散してタップ長単位の相関信号（２６）を順次出力するマッチドフィルタ（２３）と、
前記Ｗ−ＣＤＭＡ信号に含まれるフレーム毎に繰り返し同じパターンを送信されている共通パイロットチャネル（６）をスペクトラム逆拡散するために、マッチドフィルタのタップ長単位毎に前記逆拡散符号（２５）を順次前記マッチドフィルタへ出力する逆拡散符号発生器（２４）と、
前記マッチドフィルタから順次出力される前記相関信号をｍ回（ｍは正整数）に亘って積算する波形積算部（２７）と、
この波形積算部で積算された相関信号（２８）のピーク値およびそのタイミングを検出するピーク値検出部（２９）と、
前記マッチドフィルタから順次出力される前記相関信号をｍ回積算した後、前記逆拡散符号発生器の発生タイミングをずらすタイミング制御部（３４）と、
前記タイミング制御部によりｎ回（ｎは正整数）ずらし、前記ピーク検出部から得られるｎ回分のピーク値を比較し、大きいピーク値とそれに対応するタイミングを保持するピーク値比較部（３０）と、
あらかじめ定められた回数分処理した結果、ピーク値比較部が出力するピークタイミングに同期させる同期検出部（３３）と、
この同期検出部で同期検出された状態で、前記Ｗ−ＣＤＭＡ信号を逆拡散し、共通パイロットチャネルの信号レベルを測定するレベル検出部（３５）と、
このレベル検出部によって得られた信号レベルに基づいて前記基地局の電波サービスエリアを評価するデータ処理部（３９）と
を備えた電波サービスエリア評価装置。
【請求項２】
前記タイミング制御部は、複数シンボル分の逆拡散符号の出力タイミングをシンボル単位分ずつ順次移動させることを特徴とする請求項１記載の電波サービスエリア評価装置。
【請求項３】
前記タイミング制御部は、複数シンボル分の逆拡散符号の出力タイミングをシンボル単位分より少ない間隔で順次移動させることを特徴とする請求項１記載の電波サービスエリア評価装置。
【発明の詳細な説明】
【０００１】
【発明の属する技術分野】
本発明は、Ｗ―ＣＤＭＡ（広帯域・符号分割多元接続：wideband-code division multiple access）方式を採用した携帯電話等の移動体通信網システムにおける基地局の電波サービスエリアを評価する電波サービスエリア評価装置に係わり、特に、短時間でかつ正確に電波サービスエリアの評価を実施できる電波サービスエリア評価装置に関する。
【０００２】
【従来の技術】
携帯電話等の移動体通信網システムにおいては、電話サービス地域内に互いに近接して多数の基地局を設置している。この場合、互いに隣接する基地局の電波の届く範囲を示す各セルは互いにその一部が重複している。このように隣接するセルを重複させることによって、移動局は通話をしながら他セルへ移動したとしても、通信先の基地局が自動的に切り替り、通話が遮断されることはない。
【０００３】
よって、電話サービス地域内における各地点において、各基地局からの電波を測定して、該当地点の電波状態を評価することは、新規に基地局を設置したり、設置済みの基地局の維持管理に非常に重要なことである。
【０００４】
電話サービス地域内の各地点における電波状態を測定する場合、図６に示すように、測定者は、測定車１に測定装置２を搭載して、複数の基地局３が設置された電話サービス地域内を移動する。そして、移動しながら各地点で各基地局３からの電波４を受信して、各電波４の受信信号レベルを測定して、該当地点における各電波状態を評価する。
【０００５】
通信方式として、Ｗ―ＣＤＭＡ方式を採用した移動体通信網システムにおいては、各電波４内には図７に示すＷ―ＣＤＭＡ信号５が含まれる。このＷ―ＣＤＭＡ信号５においては、１つの周波数帯域内に、それぞれ互いに異なる符号でスペクトラム拡散された共通パイロットチャネル（ＣＰＩＣＨ）６、同期チャネル（ＳＣＨ）７、複数のデータチャネル８（ＣＨ１〜ＣＨＮ）、及びその他チャネル９が信号合成された状態で含まれる。
【０００６】
共通パイロットチャネル（ＣＰＩＣＨ）６は、各基地局３を特定する９ビットのプライマリコードと４ビットのセカンダリコードとにより生成された符号（例えばＧｏｌｄ符号）によりスペクトラム拡散されている。
【０００７】
各基地局３から放出される各電波４に含まれるＷ−ＣＤＭＡ信号５の各データチャネル８の出力信号レベルは、各チャネル毎に異なるが、共通パイロットチャネル６の各基地局３での出力信号レベルは固定である。したがって、測定装置２においては、受信したＷ−ＣＤＭＡ信号５に含まれる共通パイロットチャネル６をスペクトラム逆拡散して抽出する。そして、このスペクトラム逆拡散して抽出された共通パイロットチャネル６の信号レベルを検出する。
【０００８】
そして、測定者は、測定車１で電話サービス地域内を移動して、各測定地点における各基地局３からの電波４のＷ−ＣＤＭＡ信号５に含まれるの共通パイロットチャネル６の信号レベルに基づいて各基地局４の電波サービスエリアを評価する。
【０００９】
このような測定車１に搭載される測定装置２内には、受信したＷ−ＣＤＭＡ信号５に含まれる共通パイロットチャネル６をスペクトラム逆拡散する図８に示す同期・逆拡散回路が組込まれている。
【００１０】
図８において、受信したＷ−ＣＤＭＡ信号５はマッチドフィルタ１０へ入力される。このスペクトラム拡散された状態のＷ−ＣＤＭＡ信号５は、図９に示すように、複数のフレーム１１で構成されている。そして、各１つのフレーム１１は１５０個のシンボル１２で構成されている。そして、１つのフレーム１１の伝送所要時間は約１０ｍｓである。また、１つのシンボル１２は２５６チップ（ビット）で構成されている。したがって、１つのフレーム１１は、２５６×１５０＝３８４００チップ（ビット）で構成されている。よって、受信したＷ−ＣＤＭＡ信号５は、１フレーム、３８４００チップ（ビット）の繰返しである。
【００１１】
逆拡符号発生器１３には、このＷ−ＣＤＭＡ信号５から共通パイロットチャネル６をスペクトラム逆拡散して抽出するための３８４００チップ（ビット）分の逆拡散符号が記憶されている。この３８４００チップ（ビット）分の逆拡散符号を用いてＷ−ＣＤＭＡ信号５から共通パイロットチャネル６をスペクトラム逆拡散するのであるが、スペクトラム逆拡散する前に、Ｗ−ＣＤＭＡ信号５と逆拡散符号との同期を取る必要がある。
【００１２】
マッチドフィルタ１０は、逆拡符号発生器１３から与えられる逆拡散符号１４のパターンと一致するＷ−ＣＤＭＡ信号５のパターンが入力された時に相関が取れたとし、相関が取れたことを示す情報を出力する。例えば、相関が取れた時大きいレベルの相関信号１５を出力する。逆に、逆拡符号発生器１３から与えられた逆拡散符号１４のパターンと一致しないパターンが入力された時には相関が取れていないとし、相関が取れていないことを示す情報を出力する。例えば、相関が取れていない時小さいレベルの相関信号１５を出力する。
【００１３】
同期を取る手段として、逆拡符号発生器１３からマッチドフィルタ１０に任意（例えばフレームの先頭）の１シンボル分の逆拡散符号１４を与え、１フレーム間その与えた逆拡散符号１４を変更せずに、入力されるＷ−ＣＤＭＡ信号５と相関を取り、同期検出部１７で、マッチドフィルタ１０が出力する相関結果（相関信号１５）からピーク値を検出する。そのピーク値のタイミングが受信したＷ−ＣＤＭＡ信号５に含まれる所望の共通パイロットチャネルのフレームの先頭タイミングと特定する。
【００１４】
その検出したピークのタイミングから１０ｍｓ後に再度フレームの先頭の信号を受信できるので、次のタイミングで先頭の１シンボルの逆拡散符号１４を与え、１シンボル分の時間経過後、次の１シンボルの逆拡散符号を与え、順次シンボル毎に逆拡散符号１４を与え、受信信号（Ｗ−ＣＤＭＡ信号５）と相関を取る。
【００１５】
逆拡散符号発生器１３と所望の共通パイロットチャネル６の同期が取れているため、マッチドフィルタ１０が出力する相関信号１５には、各シンボル毎に大きなピーク値が出力される。そのピーク値のタイミングで信号レベルを測定し、その測定値に基づき電波サービスエリアを評価する。
【００１６】
【発明が解決しようとする課題】
しかしながら、図８に示す同期・逆拡散回路が組込まれた測定装置２においてもまだ解消すべき次のような課題があった。
【００１７】
すなわち、基地局３から送信された電波４に雑音が混入されると、この雑音が測定装置２で受信される電波４から得られるＷ−ＣＤＭＡ信号５に大きな干渉信号として重畳する。このような干渉信号が重畳したＷ−ＣＤＭＡ信号５を逆拡散符号１４で逆拡散するマッチドフィルタ１０から出力される相関信号１５には、図１０（ａ）に示すように、相関が取れた場合の信号（相関値）の理論位置Ｐ（Ｐ＝１）の周囲にノイズに起因する雑音位置ＮPが発生する、同様に、相関が取れなかった場合の信号（相関値）の理論位置Ｏ（Ｏ＝０）の周囲にノイズに起因する雑音位置ＮOが発生する、
この図１０（ａ）からも明らかなように、相関が取れた場合の信号の値が、相関が取れなかった場合の信号の値より小さくくなる場合がある。このような事態になると、マッチドフィルタ１０から出力される相関信号１５には、図１０（ｂ）に示すように、相関結果の信号の信号レベルより、信号レベルが高い雑音（ノイズ）が生じる。
【００１８】
その結果、信号レベルが高い雑音（ノイズ）を相関結果の信号と誤判断して、この信号レベルが高い雑音（ノイズ）の発生位置を、Ｗ−ＣＤＭＡ信号５に対する同期位置と判断して、同期外れのまま、Ｗ−ＣＤＭＡ信号５に対してスペクトラム逆拡散を実施して、共通パイロットチャネル１９を抽出する懸念がある。
【００１９】
このような場合、Ｗ−ＣＤＭＡ信号５に含まれる共通パイロットチャネル６の信号レベルを正しく検出できないので、基地局３の電波サービスエリアを正しく評価できない懸念がある。
【００２０】
なお、同期検索期間に逆拡散符号発生器１３から出力される逆拡散符号１４のチップ（ビット）数を２〜３シンボル分とすれば、相関が取れた場合の信号の信号レベルのＳ／Ｎ比を向上できるが、マッチドフィルタ１０における相関演算処理時間が長くなり、測定装置全体の電波の測定作業能率が低下する。また、マッチドフィルタ１０のタップ数が倍増するので、測定装置全体の設備費が上昇する。
【００２１】
本発明はこのような事情に鑑みてなされたものであり、逆拡散符号発生器から出力される各シンボル単位毎の逆拡散符号を複数シンボル分順次出力することによって、マッチドフィルタから出力される各シンボル単位毎の相関信号に対して統計手法を用いてピーク値を検出でき、マッチドフィルタのタップ数を増加することなく、Ｗ−ＣＤＭＡ信号と逆拡散符号との同期を正確にかつ短時間で確立でき、各基地局からの電波強度を正確にかつ短時間で測定でき、各基地局の電波サービスエリアを効率的に評価できる電波サービスエリア評価装置を提供することを目的とする。
【００２２】
【課題を解決するための手段】
本発明は、基地局から移動局に対して送信されるＷ―ＣＤＭＡ信号を受信してその受信信号レベルに基づいて基地局の電波サービスエリアを評価する電波サービスエリア評価装置に適用される。
【００２３】
そして、上記課題を解消するために、本発明の電波サービスエリア評価装置においては、受信したＷ−ＣＤＭＡ信号とタップ長分設定された逆拡散符号で順次逆拡散してタップ長単位の相関信号を順次出力するマッチドフィルタと、Ｗ−ＣＤＭＡ信号に含まれるフレーム毎に繰り返し同じパターンを送信されている共通パイロットチャネルをスペクトラム逆拡散するために、マッチドフィルタのタップ長単位毎に逆拡散符号を順次前記マッチドフィルタへ出力する逆拡散符号発生器と、マッチドフィルタから順次出力される相関信号をｍ回（ｍは正整数）に亘って積算する波形積算部と、波形積算部で積算された相関信号のピーク値およびそのタイミングを検出するピーク値検出部と、マッチドフィルタから順次出力される相関信号をｍ回積算した後、逆拡散符号発生器の発生タイミングをずらすタイミング制御部と、タイミング制御部によりｎ回（ｎは正整数）ずらし、ピーク検出部から得られるｎ回分のピーク値を比較し、大きいピーク値とそれに対応するタイミングを保持するピーク値比較部と、あらかじめ定められた回数分処理した結果、ピーク値比較部が出力するピークタイミングに同期させる同期検出部と、同期検出部で同期検出された状態で、Ｗ−ＣＤＭＡ信号を逆拡散し、共通パイロットチャネルの信号レベルを測定するレベル検出部と、レベル検出部によって得られた信号レベルに基づいて前記基地局の電波サービスエリアを評価するデータ処理部とを備えている。
【００２４】
このように構成された電波サービスエリア評価装置においては、逆拡散符号発生器は、Ｗ−ＣＤＭＡ信号に含まれる共通パイロットチャネルをスペクトラム逆変換するための各シンボル単位毎の逆拡散符号を複数シンボルに亘って順次出カする。すなわち、逆拡散符号発生器は、複数シンボル分のＷ−ＣＤＭＡ信号に対応する複数シンボル分の逆拡散符号を１シンボル単位毎に分割して、順次マッチドフィルタヘ送出する。
【００２５】
したがって、マッチドフィルタには、各シンボル単位毎に該当シンボル単位に対応する互いに異なる１シンボル単位分の逆拡散符号が複数シンボルに亘って順次入力される。
【００２６】
よって、マッチドフィルタは、複数シンボル分のＷ−ＣＤＭＡ信号が入カすると、複数シンボルを構成する各１シンボル単位分の時間（チップ数）が経過する毎にこの１シンボル単位分の相関信号が出カされる。１シンボル単位毎の逆拡散符号を接続すれば、複数シンボルのＷ−ＣＤＭＡ信号に対する全体の逆拡散符号になるので、各シンボル単位の相関信号は理論的に同一値を有するはずである。
【００２７】
そして、逆拡散符号発生器から出力される複数シンボル分の逆拡散符号の出力タイミングを複数シンボル毎に順次移動させていく過程で、１シンボル単位分内に同期点が存在すると、全てのシンボル単位内に同期点が存在するはずである。よって、全てのシンボル単位に対応する相関信号にピークが同一同期点に生じるはずである。
【００２８】
一方、相関信号に存在するノイズに起因するピークはランダムな時間位置に生じる。したがって、各相関信号を複数シンボルに亘って積算すると、同期点に生じるピークの信号レベルのみが強調され、ノイズに起因するビークの信号レベルは増加しない。したがって、複数シンボルに亘って積算された相関信号のピーク点位置から正確に同期点を検出できる。
【００２９】
入力されたＷ−ＣＤＭＡ信号と逆拡散符号の同期点が検出されると、Ｗ−ＣＤＭＡ信号の１フレームの開始タイミングに複数シンボル分（例えば１フレーム分）の逆拡散符号の開始点を一致させて、この複数シンボル分（例えば１フレーム分）の逆拡散符号をマッチドフィルタへ送出する。
【００３０】
その結果、マッチドフィルタから、Ｗ−ＣＤＭＡ信号の逆拡散信号、すなわち、逆拡散された共通パイロットチャネルが出力される。この共通パイロットチャネルの信号レベルが検出されてデータ処理される。その結果、基地局の電波サービスエリア評価が実施される。
【００３１】
また、別の発明は、上述した発明の電波サービスエリア評価装置において、タイミング制御部は、複数シンボル分の逆拡散符号の出力タイミングをシンボル単位分ずつ順次移動させる。
【００３２】
さらに、別の発明は、上述した発明の電波サービスエリア評価装置において、タイミング制御部は、複数シンボル分の逆拡散符号の出力タイミングをシンボル単位分より少ない間隔で順次移動させる。
【００３３】
このように、複数シンボル分の各シンボル単位毎の相関信号の算出及び積算が終了すると、前記各複数シンボル分の逆拡散符号を、１シシボル単位分ずらせる揚合に、一部オーバーラッブさせることによって、Ｗ−ＣＤＭＡ信号の各チップ（ビット）について相関演算もれが生じないようにできる。
【００３４】
【発明の実施の形態】
以下、本発明の一実施形態を図面を用いて説明する。
図１は実施形態に係る電波サービスエリア評価装置の概略構成を示すブロック図である。図６、図７、図８、図９に示す、各基地局３、各電波２、この各電波２に含まれるＷ―ＣＤＭＡ尊号５のフレーム構成と同一部分には同一符号を付して、重複する部分の詳細説明を省略する。
【００３５】
図１において、基地局３から送信された各電波４はアンテナ２１で受信されてＲＦ（高周波）処理部２２へ入力される。ＲＦ（高周波）処理部２２は、各電波４に含まれる高周波のＷ―ＣＤＭＡ信号５の周波数を中間周波数に周波数変換するとともに、直交復調して、ベースバンドのＷ―ＣＤＭＡ信号５としてマッチドフィルタ２３へ送出する。
【００３６】
Ｗ―ＣＤＭＡ信号５内には、図７で説明したように、共通パイロットチャネル（ＣＰＩＣＨ）６が含まれる。共通パイロットチャネル（ＣＰＩＣＨ）６は、各基地局３を特定する９ビットのプライマリコードと４ビットのセカンダリコードとにより生成された符号（例えばＧｏｌｄ符号）によりスペクトラム拡散されている。
【００３７】
さらに、図２に示すように、このＷ―ＣＤＭＡ信号５の各フレーム１１は１５０個のシンボル１２で構成されている。そして、１つのフレーム１１の所要時間は１０ｍｓである。そして、１つのシンボル１２は２５６チップ（ビット）で構成されている。したがって、Ｗ―ＣＤＭＡ信号５の１つのフレーム１１は、２５６×１５０＝３８４００チップ（ビット）で構成されている。
【００３８】
逆拡符号発生器２４には、このＷ−ＣＤＭＡ信号５から共通パイロットチャネル６をスペクトラム逆拡散して抽出するための１フレーム１１分の３８４００チップ（ビット）の逆拡散符号が記憶されている。
【００３９】
そして、同期検索期間内においては、逆拡符号発生器２４は、この１フレーム１１分の３８４００チップ（ビット）の逆拡散符号をシンボル単位に相当する２５６チップ（ビット）長を有する１５０個の逆拡散符号２５に分割して、このシンボル単位毎の逆拡散符号２５を順次マッチドフィルタ２３へ印加する。したがって、各逆拡散符号２５は自己が対応するシンボル単位に対応してそれぞれ異なる値に設定されている。
【００４０】
マッチドフィルタ２３は、２５６個のタップを有し、同期検索期間中に、入力されたＷ−ＣＤＭＡ信号５に対して、逆拡符号発生器２４から２５６個のタップに一度に印加された１シンボル１２分の２５６チップ（桁）の逆拡散符号２５を順次ずらせていって、両者の相関をとり、Ｗ−ＣＤＭＡ信号５の各チップ（ビット）位置における相関値を示す相関信号２６を出力する。
【００４１】
マッチドフィルタ２３は、逆拡符号発生器２４から１シンボル単位毎の逆拡散符号２５が入力される毎に、Ｗ−ＣＤＭＡ信号５の該当位置のデータとの前述した相関信号２６を算出して出力する。したがって、１フレーム分の１５０個の逆拡散符号２５の取込みが終了した時点においては、図２に示すように、マッチドフィルタ２３から１５０個の相関信号２６が連続して出力される。
【００４２】
マッチドフィルタ２３から順次出力される各相関信号２６は、波形積算部２７へ入力される。波形積算部２７は、順次入力される各相関信号２６を１フレーム分、すなわち１５０個分積算して、積算された相関信号２８を次のピーク値検出部２９へ送出する。
【００４３】
ピーク値検出部２９は、積算された相関信号２８のピーク値を検出して、次のピーク値比較部３０へ送出する。ピーク値比較部３０は、今回入力されたピーク値と、最大ピーク値メモリ３１に記憶されている前回までの最大ピーク値と比較して、今回入力されたピーク値が前回までの最大ピーク値より大きい場合は、ピーク値更新部３２へ今回のピーク値を送信する。ピーク値更新部３２は、最大ピーク値メモリ３１に記憶されている前回までの最大ピーク値を今回のピーク値で更新する。
【００４４】
したがって、最大ピーク値メモリ３１には、１フレーム分の１５０個の逆拡散符号２５の相関処置が終了する毎に、出力される各積算された相関信号２８のピーク値における最大ピーク値が記憶されている。
【００４５】
同期検出部３３は、最大ピーク値メモリ３１に記憶されている最大ピーク値が予め定められた規定値（しきい値）以上になると、入力されたＷ−ＣＤＭＡ信号５と逆拡散符号との間の同期が取れたと判断し、この積算された相関信号２８におけるピーク位置を入力されたＷ−ＣＤＭＡ信号５の各シンボル１２の開始タイミング位置と特定する。そして、これらの同期確立信号と各シンボル１２の開始タイミング位置とを、タイミング制御部３４、マッチドフィルタ２３、及びレベル検出部３５へ送出する。
【００４６】
前記ピーク値検出部３０は、ピーク値の比較処理が終了すると、比較処理終了信号をタイミング制御部３４へ送信する。
タイミング制御部３４は、ピーク値比較部３０から比較処理を入力すると、同期確立信号が入力していない条件において、図２に示すように、逆拡散符号発生部２４からマッチドフィルタ２３へ送出する１フレーム分の１５０個の各シンボル単位毎の逆拡散符号２５の出力タイミングを、１シンボル単位分、すなわち、２５６チップ（ビット）だけ遅らす（移動させる）。
【００４７】
マッチドフィルタ２３は、この出力タイミングが１シンボル単位分だけ遅れた１５０個の各シンボル単位毎の各逆拡散符号２５に対する各相関信号２６を順次出力する。波形積算部２７は、出力タイミングが１シンボル単位分だけ遅れた１５０個の相関信号２６を積算する。ピーク値検出部２９は、出力タイミングが１シンボル単位分だけ遅れた積算後の相関信号２８のピーク値を検出する。そして、ピーク値比較部３０は、今回のピーク値と前回までの最大ピーク値とを比較する。
【００４８】
このように、タイミング制御部３４は、同期確立信号が入力していない条件において、図２に示すように、逆拡散符号発生器２４からマッチドフィルタ２３へ送出する１フレーム分の１５０個の各シンボル単位毎の逆拡散符号２５の出力タイミングを、１シンボル単位分、すなわち、２５６チップ（ビット）だけ順次遅らせていく。
【００４９】
そして、図２の最下段に示すように、１シンボル単位分内に同期点が存在すると、全てのシンボル単位内に同期点が存在するはずである。よって、全てのシンボル単位に対応する相関信号２６に相関値［１］に対応する信号レベル（ピーク値）を有したピーク３６が同一のピーク位置に生じる。したがって、波形積算部２７から出力される、１５０個の相関信号２６を積算した積算後の相関信号２８にも同一ピーク位置により大きなピーク３７が生じる。
【００５０】
この大きなピーク３７のピーク値（信号レベル）とピーク位置は最大ピーク値メモリ３１に書込まれる。この値に基づいて、同期検出部３３は、同期確立信号と各シンボル１２の開始タイミング位置とを、タイミング制御部３４、マッチドフィルタ２３、及びレベル検出部３５へ送出する。
【００５１】
同期確立信号と各シンボル１２の開始タイミング位置とを受信したタイミング制御部３４は、逆拡散符号発生器２４に対して、この同期確立信号が出力された状態における、先頭の逆拡散符号２５の先頭位置を、Ｗ−ＣＤＭＡ信号５の現在時点で対応しているシンボル１２の開始タイミング位置に合わせて、１フレーム分である３８４００チップ（ビット）分の逆拡散符号をマッチドフィルタ２３へ順次送出させる。
【００５２】
その結果、マッチドフィルタ２３へ入力されるＷ−ＣＤＭＡ信号５と、１フレーム分の逆拡散符号とは完全に同期が取れている。したがって、マッチドフィルタ２３は、受信したＷ−ＣＤＭＡ信号５を逆拡散符号発生器２４からの１フレーム分の逆拡散符号でスペクトラム逆拡散を実施し、逆拡散信号としての共通パイロットチャネル３８を出力する。
【００５３】
同期検出部３３から同期確立信号を受信したレベル検出部３５は、マッチドフィルタ２３でスペクトラム逆拡散された共通パイロットチャネル３８の信号レベルを検出して、データ処理部３９へ送出する。データ処理部３９は、共通パイロットチャネル３８の信号レベルを基地局３からの電波４の受信信号レベルとして、この受信信号レベルに基づいて、基地局３の電波サービスエリアを評価してその評価結果を表示器４０に表示出力する。具体的には、電話サービス地域内の各地点における基地局３からの電波４の受信信号レベルを測定して表示する。
【００５４】
このように構成された電波サービスエリア評価装置においては、図２に示すように、同期検索期間内においては、逆拡符号発生器２４は、この１フレーム１１分の３８４００チップ（ビット）の逆拡散符号をシンボル単位に相当する２５６チップ（ビット）長を有する１５０個の逆拡散符号２５に分割して、分割した各シンボル単位毎の逆拡散符号２５を順次マッチドフィルタ２３へ印加する。そして、マッチドフィルタ２３から順次出力される各相関信号２６を、波形積算部２７で順次積算して相関信号２８を得る。
【００５５】
各相関信号２６に存在するノイズに起因するピークはランダムな時間位置に生じる。したがって、各相関信号２６を複数シンボル（例えば１フレーム）に亘って積算すると、正しい同期点に生じるピーク３７の信号レベルみが強調され、ノイズに起因するピークの信号レベルは増加しない。したがって、複数シンボル（例えば１フレーム）に亘って積算された相関信号２８のピーク点位置からから正確に同期点を検出できる。
【００５６】
よって、相関信号２６のＳ／Ｎ比を大幅に向上させる必要がないので、マッチドフィルタ２３のタップ数（一度に印加する逆拡散符号のチップ数；実施形態では２５６）を増加する必要がない。したがって、設備費を増加することなく、短時間で、各相関信号２６を算出できる。
【００５７】
このように、たとえ受信されたＷ―ＣＤＭＡ信号５に高いレベルの雑音が重畳されていたとしても、このＷ―ＣＤＭＡ信号５と逆拡散符号との同期を正確にかつ短時間で取ることができる。また、設備費を増加する必要がない。
【００５８】
図３は、波形積算部２７における各相関信号２６を積算する場合における積算回数と積算された相関信号２８におけるＳ／Ｎ比の改善比との関係を示す図である。積算回数の増加に伴ってＳ／Ｎ比の改善比が上昇することが理解できる。さらに、積算手法として、ベクトル積算を採用した方がパワー積算を採用した方よりＳ／Ｎ比の改善比が高いことが理解できる。
【００５９】
なお、本発明は上述した実施形態の電波サービスエリア評価装置に限定されるものではない。
同期検出部３３は、ピーク値検出部２９で検出された積算後の相関信号２８のピーク値を監視して、このピーク値から同期が成立したか否かを判定してもよい。
【００６０】
さらに、図４に示すように、タイミング制御部３４は、逆拡散符号発生器２４から１フレーム分の１５０個の各逆拡散符号２５のマッチドフィルタ２３へ送出する出力タイミングを、正確に１シンボル単位分（２５６チップ）ずらせるのではなくて、１シンボル単位分（２５６チップ）より１０チップ少ない間隔（例えば２４６チップ）だけずらせることも可能である。
【００６１】
図４においては、２回目は１回目に対して、１０チップ少ない２４６チップの間隔だけずらせているので、２回目の先頭の逆拡散符号２５には、３８３０〜２４５のデータが書込まれる。その結果、Ｗ―ＣＤＭＡ信号５の各逆拡散符号２５の境目近傍に位置する各チップ（ビット）に対して、逆拡散符号２５が２回目と１回目とで重複（オーバーラップ）して印加される。
【００６２】
したがって、図５に示すように、この電波サービスエリア評価装置に組込まれたクロック発信器のクロック周期の誤差に起因して、受信したＷ―ＣＤＭＡ信号５の１フレーム１１の継続時間（１０ｍｓ）に比較して、逆拡散符号発生器２４から出力される１フレーム分の逆拡散符号２５の継続時間が微少時間Δｔだけ短かったとしても、Ｗ−ＣＤＭＡ信号５の各チップ（ビット）について相関演算もれが生じることを未然に防止できる。よって、電波サービスエリア評価装置全体の信頼性をさらに向上できる。
【００６３】
【発明の効果】
以上説明したように、本発明の電波サービスエリア評価装置においては、逆拡散符号発生器から出力される各シンボル単位毎の逆拡散符号を複数シンボルに亘って順次出力して、マッチドフィルタから出力される各シンボル単位毎の相関信号を積算している。
【００６４】
したがって、統計手法を用いて同期タイミングを求めるためのピーク値及びピーク位置を検出でき、マッチドフィルタのタップ数を増加することなく、Ｗ−ＣＤＭＡ信号と逆拡散符号との同期を正確にかつ短時間で確立でき、各基地局からの電波強度を正確にかつ短時間で測定でき、各基地局の電波サービスエリアを効率的に評価できる。
【図面の簡単な説明】
【図１】本発明の一実施形態に係わる電波サービスエリア評価装置の概略構成を示すブロック図
【図２】同実施形態電波サービスエリア評価装置における受信したＷ−ＣＤＭＡ信号と逆拡散符号発生器から出力される各逆拡散符号との期間関係を示す図
【図３】同実施形態電波サービスエリア評価装置における相関信号の積算回数とＳ／Ｎ改善比との関係を示す図
【図４】本発明の他の実施形態に係わる電波サービスエリア評価装置における受信したＷ−ＣＤＭＡ信号と逆拡散符号発生器から出力される各逆拡散符号との期間関係を示す図
【図５】同じく、本発明の他の実施形態に係わる電波サービスエリア評価装置における受信したＷ−ＣＤＭＡ信号と逆拡散符号発生器から出力される各逆拡散符号との期間関係を示す図
【図６】一般的な電話サービス地域における各地点の電波状態の測定を示す模式図
【図７】電波に組込まれたＷ―ＣＤＭＡ信号のフォーマット図
【図８】一般的な測定装置に組込まれた同期・逆拡散回路を示すブロック図
【図９】同同期・逆拡散回路を用いたＷ―ＣＤＭＡ信号の逆拡散動作を示す図
【図１０】同同期・逆拡散回路を用いたＷ―ＣＤＭＡ信号の逆拡散動作の問題点を説明するための図
【符号の説明】
３…基地局
４…電波
５…Ｗ−ＣＤＭＡ信号
６…共通パイロットチャネル（ＣＰＩＣＨ）
１１…フレーム
１２…シンボル
２２…ＲＦ処理部
２３…マッチドフィルタ
２４…逆拡散符号発生器
２５…逆拡散符号
２６…相関信号
２７…波形積算部
２８…積算された相関信号
２９…ピーク値検出部
３０…ピーク値比較部
３１…最大ピーク値メモリ
３２…ピーク値更新部
３３…同期検出部
３４…タイミング制御部
３５…レベル検出部
３７…ピーク
３８…逆拡散された共通パイロットチャネル
３９…データ処理部
４０…表示器
【図１】
0004361703.tif 000002
【図２】
0004361703.tif 000003
【図３】
0004361703.tif 000004
【図４】
0004361703.tif 000005
【図５】
0004361703.tif 000006
【図６】
0004361703.tif 000007
【図７】
0004361703.tif 000008
【図８】
0004361703.tif 000009
【図９】
0004361703.tif 000010
【図１０】
0004361703.tif 000011